(57)【要約】【課題】吸収体において横方向へと流れる排泄液を確実に吸収体内で固定化して液の横漏れ防止性を向上させる吸収性物品を提供する。【解決手段】表面シート１、裏面シート２、及び吸収体３を備え、着用者の腹側部から股下部を介して背側部に亘って配される方向を縦方向（Ｙ方向）、該縦方向と直交する方向を横方向（Ｘ方向）とする吸収性物品であって、表面シート１と吸収体３とが一体的に圧搾されてなる防漏溝６が、前記吸収性物品の排泄部対応領域Ｃにおいて縦方向（Ｙ方向）に沿って配設されており、吸収体３には、吸収体３の厚み方向に貫通した縦長の貫通間隙部７が配設されており、防漏溝６の近傍に配置された貫通間隙部７が開孔８をなしている吸収性物品。【選択図】図１
2014100199.tif 000002
【特許請求の範囲】
【請求項１】
肌当接面側に配置される表面シート、非肌当接面側に配置される裏面シート、及び該両シート間に配置される吸収体を備え、着用者の腹側部から股下部を介して背側部に亘って配される方向を縦方向、該縦方向と直交する方向を横方向とする吸収性物品であって、
前記表面シートと吸収体とが一体的に圧搾されてなる防漏溝が、前記吸収性物品の排泄部対応領域において縦方向に沿って配設されており、
前記吸収体には、吸収体の厚み方向に貫通した縦長の貫通間隙部が配設されており、前記防漏溝の近傍に配置された前記貫通間隙部が開孔をなしている吸収性物品。
【請求項２】
前記貫通間隙部は縦方向及び幅方向に断続的に配置されて複数の列となっており、前記貫通間隙部における横方向の開孔幅は、前記防漏溝に近い位置にある貫通間隙部のものほど大きくなっている請求項１記載の吸収性物品。
【請求項３】
前記吸収体において、前記貫通間隙部の壁部の繊維密度が、前記壁部周辺の繊維密度よりも高くされている請求項１又は２記載の吸収性物品。
【請求項４】
前記吸収体の縦方向の前後端部に、横長の低目付け部が複数断続的に設けられている請求項１〜３のいずれか１項に記載の吸収性物品。
【請求項５】
前記裏面シートの肌当接面側に彩色が施されており、前記表面シートから前記吸収体の貫通間隙部を介して前記彩色が視認可能とされている請求項１〜４のいずれか１項に記載の吸収性物品。
【請求項６】
前記表面シートに貫通孔又はエンボスが配設されている請求項１〜５のいずれか１項に記載の吸収性物品。
【請求項７】
前記吸収体は、前記横方向の中央領域において肌当接面側に隆起した中高部を有し、前記貫通間隙部は前記中高部にも配設されている請求項１〜６のいずれか１項に記載の吸収性物品。
【請求項８】
前記中高部以外の吸収体の領域に防漏溝が配設されており、該防漏溝の近傍に貫通間隙部がなす開孔が複数配設されている請求項７記載の吸収性物品。
【請求項９】
前記防漏溝は、前記吸収性物品の排泄部対応領域の横方向両側で、平面視、横方向外方へ向かって湾曲した縦長の形状である請求項１〜８のいずれか１項に記載の吸収性物品。
【発明の詳細な説明】
【技術分野】
【０００１】
本発明は、生理用ナプキンや失禁パッド、尿とりパッドなどの吸収性物品に関する。
【背景技術】
【０００２】
生理用ナプキン等の吸収性物品においては、各部材の材料や構造を改良し、その機能や着用感の向上が図られてきた。部材としての表面シートや吸収体についても、かかる改良を企図して開発がなされている。
【０００３】
例えば、特許文献１には、吸収体に、異種の第１圧搾部と第２圧搾部とをそれぞれ複数備えた吸収性物品が開示されている。第１圧搾部は、長手方向に沿った寸法で、吸収体の排泄口対応領域の両側縁に互いに離間して設けられている。第２圧搾部は、幅方向に沿った寸法で、第１圧搾部の領域以外の全域にわたって互いに離間して設けられている。これにより、製品全体を薄くしながら柔軟性を維持し、縒れを生じ難くすることができるとされる。
【０００４】
特許文献２には、複数の独立した吸収部の集合体からなる吸収性コアと表面シートとを圧搾した防漏溝を有する吸収性物品が開示されている。これにより、防漏溝による吸収体全体の柔軟性の低下を緩和し、横漏れの原因となる液拡散を防止しつつ、排泄の量に応じて防漏溝の内外の吸収性コアを有効に液の吸収保持に活用できるとされる。
【０００５】
特許文献３には、トップシートの表面から吸収体内まで食い込むエンボス凹部が線状に形成された吸収性物品が開示されている。前記トップシートには、前記エンボス凹部の底部の近傍に、スリット又は打抜き孔が形成されている。このスリット又は打抜き孔の変形によって前記エンボス凹部の延在方向と直交する方向の伸縮性が他の部分よりも高いとされる。また前記スリット又は打抜き孔の変形によって、トップシートの局所的な皺が防止さるとされる。また前記スリット又は打抜き孔が開くことで、トップシートから吸収体へ液が入り込みやすく吸収速度が速くなるとされる。
【先行技術文献】
【特許文献】
【０００６】
【特許文献１】特開２０１２−２９９９７号公報
【特許文献２】特開２０１１−１３９８９７号公報
【特許文献３】特開２００９−１７２１２７号公報
【発明の概要】
【発明が解決しようとする課題】
【０００７】
本発明は、吸収体において横方向へと流れる排泄液を確実に吸収体内で固定化して液の横漏れ防止性を向上させる吸収性物品に関する。
【課題を解決するための手段】
【０００８】
本発明は、肌当接面側に配置される表面シート、非肌当接面側に配置される裏面シート、及び該両シート間に配置される吸収体を備え、着用者の腹側部から股下部を介して背側部に亘って配される方向を縦方向、該縦方向と直交する方向を横方向とする吸収性物品であって、前記表面シートと吸収体とが一体的に圧搾されてなる防漏溝が、前記吸収性物品の排泄部対応領域において縦方向に沿って配設されており、前記吸収体には、吸収体の厚み方向に貫通した縦長の貫通間隙部が複数配設されており、前記防漏溝の近傍に配置された前記貫通間隙部が開孔をなしている吸収性物品を提供する。
【発明の効果】
【０００９】
本発明の吸収性物品は、吸収体において横方向へと流れる排泄液を確実に吸収体内で固定化して液の横漏れ防止性をさらに向上させることができる。
【図面の簡単な説明】
【００１０】
【図１】本発明における吸収性物品の好ましい一実施形態（第１実施形態）としての生理用ナプキンを伸長した状態で肌当接面側から模式的に示す一部切欠斜視図である。
【図２】第１実施形態の生理用ナプキンにおける吸収体を模式的に示す平面図である。
【図３】図２の部分拡大平面図である。
【図４】図１のＩＶ−ＩＶ線断面図である。
【図５】ナプキン装着時における吸収体及び裏面シートの状態を模式的に示す一部断面斜視図である。
【図６】防漏溝、貫通間隙部及び開孔の形成過程を示す説明図である。
【図７】貫通間隙部の配列の変形例を模式的に示す部分拡大平面図である。
【図８】防漏溝の変形例を模式的に示す平面図である。
【図９】本発明における吸収性物品の別の好ましい実施形態（第２実施形態）としての生理用ナプキンを模式的に示す断面図である。
【図１０】点エンボスと貫通間隙部との配置関係を模式的に示す部分拡大断面図である。
【発明を実施するための形態】
【００１１】
まず、本発明における吸収性物品の好ましい一実施形態（第１実施形態）としての生理用ナプキン（以下、ナプキンとも言う）１０について、図面を参照しながら説明する。
図１に示すナプキン１０は、肌当接面側に配置される表面シート１、非肌当接面側に配置される裏面シート２、及び両シート間に配置される吸収体３を有する。さらにナプキン１０は、ウイング部５を有する。ウイング部５は、表面シート１の肌当接面側の両側で積層されたサイドシート４及び裏面シート２の延出部分で形成されている。
【００１２】
表面シート１は、肌に接して排泄液を素早く吸収体へと引き渡す観点から、肌触りが良く液透過性の部材からなり、例えば、親水性のエアスルー不織布からなる。吸収体３は、パルプ繊維等の液吸収保持性の繊維の積繊体（以下、吸収コアとも言う）を含み、これ単独でもよいし、コアラップシート（図示せず）で被覆してなるものであってもよい。本実施形態では吸収コアの表裏面をコアラップシートで覆っている。前記積繊体は、さらに吸収コアに高吸水性ポリマーを含有させたものであってもよい。裏面シート２は、吸収体３の非肌当接面側で液漏れを防ぐ観点から、液防漏性の部材からなり、例えば、液不透過性の多孔性フィルム等からなる。また裏面シート２の肌当接面側には彩色２１が施されていてもよい。
【００１３】
このようにして形成されたナプキン１０は、縦方向（Ｙ方向）と、該縦方向と直交する横方向（Ｘ方向）とを有する、縦長形状である。ナプキン１０は、着用の際、表面シート１側を着用者の肌側に向けられる。そして、ナプキン１０の縦方向を下腹部から臀部にかけて配し、その横方向を左右の足を繋ぐ方向に向けて配して着用される。その際、ウイング部５，５を折り曲げて下着のクロッチ部分に巻き付け、ウイング部５が備える粘着部５１（図４参照）でナプキン１０を固定する。
【００１４】
ナプキン１０は、着用者の排泄ポイントに対応して配置される排泄部対応領域Ｃを有する。さらに排泄部対応領域Ｃよりも前方の下腹部に配置される前方部Ｆと、後方の臀部側に配置される後方部Ｒとに区分できる。本実施形態において、この３つの領域は、ナプキン１０を長手方向に３等分に区分した領域であり、ウイング部がある領域が排泄部対応領域である。
この区分は、使用目的等によって変わる吸収性物品の大きさに合わせて設定され得る。例えば、通常、昼用のナプキンなど前後対称に形成される場合は、ナプキンを縦方向に３等分した場合の中央部分が排泄部対応領域となる。夜用のナプキンなどは、後方に臀部を覆う左右幅広な後方フラップを有るため、排泄部対応領域はナプキンを長手方向に２等分した際の前側の中央寄りにある。また、昼用、夜用にかかわらず、ショーツの股下部に折り曲げて固定するウイングを備える場合は、該ウイングの存在する領域が排泄部対応領域となる。
【００１５】
本発明においては、特に断らない限り、人体に接触する側を肌面側ないし肌当接面側あるいは表面側といい、これと反対側を非肌面側ないし非肌当接面側あるいは裏面側という。着用時に人体の前側に位置する方向を前方といいその端部を前端部とし、後側に位置する方向を後方といいその端部を後端部として説明する。この前端部と後端部とを結ぶ方向、つまり着用者の腹側部から股下部を介して背側部に亘る方向を、吸収性物品の縦方向（Ｙ方向）という。この縦方向と直交する方向を横方向（Ｘ方向）という。また、吸収性物品の表面又は裏面の法線方向を厚み方向といいその量を厚みという。
【００１６】
ナプキン１０の肌当接面側には、表面シート１側から、表面シート１と吸収体３とを一体的に圧搾してなる防漏溝６が縦方向に沿って形成されている。この圧搾は、熱を伴うか又は伴わないエンボス、あるいは超音波エンボス等のエンボス加工により常法に従って形成することができる。エンボス加工により所定部位を表面シート１側から吸収体２側に向けて凹状に押し込む（圧搾する）ことにより、該所定部位に防漏溝６を形成することができる。防漏溝６においては、表面シート１及び吸収体３が熱融着等により一体化している。これにより防漏溝６は、表面シート１、吸収体３又は両部材の間を伝ってこの地点に到達する液の拡散を抑える作用を奏する。
この防漏溝６は、平面視して縦長の直線形状であり、排泄部対応領域Ｃにおいて横方向中央部分を挟んで両側に対をなし、前方部Ｆ及び後方部Ｒにまで及んで配されている。ここで「縦長」や「縦方向に沿う」とは、その長さ全体が示す方向が、横方向（Ｘ方向）でなく縦方向（Ｙ方向）に向いていることをいう。ナプキン１０の縦方向（Ｙ方向）と完全に一致する場合に限らず、湾曲するなど縦方向（Ｙ方向）から一部外れる部分があってもよい。
また、図示していないが、防漏溝６には、その底面位置に吸収体３よりは密度の高い低圧搾部分と低圧搾部分より密度の高い高圧搾部分が形成されており、高圧搾部分と低圧搾部分は防漏溝６の延びる方向に交互に配されている。これに代えて、低圧搾部分（および防漏溝壁面）に囲まれるように高圧搾部分が配されていても良い。
【００１７】
さらに吸収体３には、図２に示すように、防漏溝６とともに、吸収体の厚み方向に貫通した縦長の貫通間隙部７が縦方向（Ｙ方向）に沿って形成されている。より具体的には、貫通間隙部７は、一対の防漏溝６，６の間で、縦方向に複数断続的に形成されて列をなしている（この列を貫通間隙部列ともいう。）。この貫通間隙部７の列は、排泄部対応領域Ｃを中心に前端部Ｆ及び後端部Ｒに及んでいる。また、この貫通間隙部列は、さらに横方向においても断続的に複数配設されている。本実施形態においては、各列における各貫通間隙部７は横方向で一致する配置とされている。なお、ここで用いた「縦長」及び「縦方向に沿う」は、前述の防漏溝６について示した定義と同義である。
【００１８】
貫通間隙部７はいずれも、図２の円内拡大図Ａに示されるように、平面視において縦方向の端部７１及び７２を有し、両端を結んで間隙を画定する外縁を有する。この外縁は、吸収体の３の厚み方向において、肌面側から非肌面側まで至る壁部７３及び７４である（図４参照）。壁部７３及び７４に囲まれた部分は、吸収体３の構成繊維の集合体としての連続性が断絶された間隙をなしている。この断絶により、壁部７３及び７４は、端部７１及び７２を基点ないし収束点として、横方向外方への可撓性を有する。また、壁部７３及び７４の存在により、経血等の排泄液との接触面積が増すこととなる。このことが、排泄液の取り込みと固定化に効果的である。
なかでも、貫通間隙部７のうち、防漏溝６近傍に配置されたものは、開孔８となった状態にある。この「開孔８」とは、吸収体３の構成繊維が無い領域が横方向に一定の開孔幅８１で形成された穴を意味する。「パルプ繊維等の構成繊維が無い」とは、繊維等が全く無い状態に限らない。繊維が多少残っていても、後述するように、肌当接面側から非肌当接面側へと排泄液を取り込み導くことができる開孔幅がある空間をいう。別の観点から言えば、後述するように、裏面シート１の彩色２１が表面シート１側から視認できる開孔幅がある空間をいう。
【００１９】
この貫通間隙部７の横方向の開孔幅８１は、防漏溝６に近い位置にあるものほど大きくされている。「開孔幅」とは、縦長の貫通間隙部７において、最も横方向に広がった部分の幅である。図２の円内拡大図Ａで説明すれば、横方向（Ｘ方向）の仮想線Ｋで壁部７３，７４を結び、この仮想線Ｋを縦方向の端部７１から端部７２まで移動していったときに、最も広い部分（拡幅端７５から７６まで）の幅である。この開孔幅８１は、ナプキン１０の折り目を伸ばして、特段の力を加えずに各部材の寸法どおりの大きさで展開した自然状態において、下記の方法で計測される幅である。ナプキン１０が弾性部材や伸縮性の部材を有する場合は、非伸縮性の部材（例えば、裏面シート２など）の寸法を基準に展開させたときに計測される幅である。したがって、この方法により計測して、壁部７３及び７４が広がっていない切り込みの状態の貫通間隙部は、開孔幅８１を有さず「開孔８」に含まれない。
【００２０】
（開孔幅８１の測定方法）
前述した開孔幅８１の寸法は、肉眼で定規等を使って測定しても良いが、好ましくは、デジタルマイクロスコープを用いて測定する。例えば、ＫＥＹＥＮＣＥ社製デジタルマイクロスコープＶＨＸ−１０００を用いて開孔幅８１を拡大撮影し、寸法を測定することができる。
【００２１】
前述する「防漏溝６の近傍」とは、防漏溝６形成のためのエンボス処理の圧搾の影響を貫通間隙部７が受けた領域である。具体的には、圧搾による吸収体の厚み方向への変形力が周囲の繊維の引き込み力として作用する領域である。この領域において、前記引き込み力により貫通間隙部７の壁部をなす繊維の集合体が、防漏溝６側へと引き寄せられることとなる。図３の貫通間隙部７Ａで説明すれば、防漏溝６側の壁部７３Ａが防漏溝６へと引き寄せられている。これにより、横方向に広がる開孔８となる。逆に言えば、ナプキン１０を前述のように展開させた状態で、貫通間隙部７が開孔８となっている領域が「防漏溝６の近傍」である。例えば、図２において、列７０Ａ，７０Ｂ，７０Ｃの防漏溝６に対応した、一点鎖線で囲まれる領域Ｔである。
この領域Ｔは、吸収体の厚みやその剛性（繊維密度）、圧密化する圧搾力や圧搾時間によって異なってくる。そのため「近傍」領域Ｔを一義的に規定することは難しいが、この種の物品でなされる防漏溝形成のためのエンボス処理を基準とすると、防漏溝６の内方縁から１５ｍｍまでの領域であり、好ましくは１０ｍｍまでの領域である。領域Ｔにおいて開孔８をなす貫通間隙部７の列は、上記実施形態の３列に限らず、単数列でもよく、４列以上でもよい。また、領域Ｔにおける開孔幅８１は、吸収体における横方向へと流れる排泄液を確実に吸収体内で固定化して液の横漏れを防止する観点から、０．５ｍｍ以上であることが好ましく、１．０ｍｍ以上であることがより好ましい。また、その上限値は７ｍｍ以下であることが好ましく、５ｍｍ以下であることがより好ましい。開孔８の縦方向の長さは、５ｍｍ以上が好ましく、１０ｍｍ以上がより好ましく、１５ｍｍ以上がさらに好ましい。その上限は、表面シート１と吸収体３における肌当接面側とが適度な面積で接触し、これによって排泄物を吸収体３内へ引込み易くなって、表面シート１上に排泄物が残り難くする観点から、９０ｍｍ以下が好ましく、７０ｍｍ以下がより好ましく、５０ｍｍ以下がさらに好ましい。具体的には、開孔８の縦方向の長さは５ｍｍ以上９０ｍｍ以下、特に１０ｍｍ以上７０ｍｍ以下、更に、１５ｍｍ以上５０ｍｍ以下とすることにより、開孔８の横方向への引きつれがおき難くなって開孔幅８１を適度な大きさとすることが容易になる。
【００２２】
開孔幅８１と防漏溝６との関係について、図３が示す、吸収体３の左側の部分の部分拡大図で説明する。防漏溝６に最も近い列７０Ａの貫通間隙部７Ａの横方向の開孔幅（８１Ａ）が、これに隣接する列７０Ｂの貫通間隙部７Ｂの横方向の開孔幅（８１Ｂ）よりも大きくされている。また、列７０Ｂの貫通間隙部７Ｂの横方向の開孔幅（８１Ｂ）が、これに隣接する列７０Ｃの貫通間隙部７Ｃの横方向の開孔幅（８１Ｃ）よりも大きくされている。つまり各開孔幅８１は、（８１Ａ）＞（８１Ｂ）＞（８１Ｃ）の関係にある。一方、防漏溝６の近傍ではなく中央部３１に近い貫通間隙部７Ｄ及び７Ｅは、開孔とならず、僅かに間隙のある切り込みの状態とされている。なお、吸収体３は左右対称であり、右側においても中央部３１から側部へ向かって同様の構造である。そのため、本明細書において、左側で説明した構造は、これと対称なものとして右側においても同様にあてはまる。また、左側の部位に付した符号は、これに対応する右側の部位について同じ符号で示している。
【００２３】
このように縦長の貫通間隙部７が横方向に開いてなる開孔８の空間は、吸収体３で横方向に移動してくる経血等の排泄液を防漏溝６の手前で取り込み、非肌当接面側へと厚み方向に移行させる。これにより排泄液の流れを止めて一時貯蔵できる。そして、壁部７３，７４で吸収し固定化することができる。同時に、端部７１から７２までの縦方向に沿って、取り込んだ液を縦方向へと導くことができる。
このようにして開孔８では、横方向への液の拡散力を抑制し、防漏溝６に到達する液を大幅に低減することができる。その結果、排泄液の液量が多い場合でも液の横漏れを効果的に抑制することができる。また、厚み方向に貫通した開孔８の空間は、吸収体３の肌当接面側にある排泄液を吸収体３の非肌当接面側へと導くことができる。これは、経血等のように、高粘性ゆえに吸収体内部への透過速度の遅い排泄液の固定化に効果的である。これにより吸収されずに吸収体３の表面に残った液が少なくなり、表面シート側への液戻りも抑えられ、良好な装着感が得られる。また非肌当接面側での吸収によって、経血等の場合、その赤みが隠蔽されることとなるので、使用者に対して視覚的に吸収性能を印象付けることができる。
【００２４】
さらに吸収体３の縦方向において、図３に示されるように、貫通間隙部７は断続的に配されている。この縦方向における貫通間隙部７相互の連携で、吸収体３の内部において、排泄液を前端部Ｆ及び後端部Ｒへと導くことができる（図３において矢印は排泄液の流れ方向を示す。）。その際、各貫通間隙部７の間には吸収体の構成繊維が介在し、この部分でも液が固定化されるので、排泄液の液量が徐々に低減されながら縦方向への拡散がなされる。これにより吸収体３の前後端部が有効に活用されて前述の貫通間隙部７の液の横漏れ防止作用がさらに効果的なものとなる。しかも縦方向の急激な拡散が適度に抑制され、前後端での液漏れ防止にも資する。
【００２５】
一方、吸収体３の横方向において、図４の断面図で示されるように、横方向中央部３１から防漏溝６に向かって、切り込み状のものから開孔となったものへと貫通間隙部７が間欠的配されている。これにより、液の拡散力と移行量を段階的に低減させることができる。しかも開孔幅８１は防漏溝６に近づくにつれ大きくなっている。この開孔幅８１の変化によって、各貫通間隙部７は、中央部３１から側部へ行くにつれ、液量の固定化機能から移行力抑制機能へと機能の重点をシフトさせている。具体的には、まず貫通間隙部７Ｄ及び７Ｅでは、開孔ではないものの、吸収体の連続性の断絶と間隙の毛管力による縦方向への誘導で幅方向への液の移行力を抑えることができる。そして、肌面側から非肌面側へと連なる壁部７３及び７４が液吸収面となって液の固定化を促進する。次に貫通間隙部７Ｂ及び７Ｃがなす開孔では、開孔幅８１Ｃから８１Ｂへと拡幅されている。これにより、液固定化機能に加えて、各開孔がなす空間での液一時貯蔵によって液移行力の抑制機能が段階的に高められている。さらに貫通間隙部７Ａがなす開孔では、開孔幅が最も広く、液固定化機能を保持して、液移行力の抑制機能が最も高められている。
この中央部から側部へと段階的な機能シフトにより、繰り返しの排泄があったり一度に多量の排泄があったりしても、貫通間隙部７Ａにまで到達する液が効果的に抑制され得る。その結果、防漏溝６に最近接する貫通間隙部７Ａでの液移行抑制を確実なものとすることができる。
【００２６】
さらに吸収体３の横方向において、各貫通間隙部７の間には、貫通間隙部７によって部分的に切り出された分離吸収部がある。図３が示す吸収体３の左側部分で説明すれば、貫通間隙部７Ｅと７Ｄとの間に分離吸収部３２、貫通間隙部７Ｄと７Ｃとの間に分離吸収部３３、貫通間隙部７Ｃと７Ｂとの間に分離吸収部３４、貫通間隙部７Ｂと７Ａとの間に分離吸収部３５が配されている。これら分離吸収部３２〜３５が、さらに液を固定化して液量を低減させ得る。しかも、分離吸収部３２〜３５は、図３に示されるように、縦方向においては断絶せずに連続した吸収部である。この連続性ゆえに縦方向への液拡散をも促すことができる。同様に、防漏溝６と貫通間隙部７Ａとの間には、防漏溝６１の堤をなす細堤吸収部３６が配されている。細堤吸収部３６は、防漏溝６手前の最後の砦として液を固定化し、縦方向への拡散を促す。
以上の作用を有する貫通間隙部７の存在により、吸収体３全体の吸収性能と防漏性が高められている。
【００２７】
このような作用を奏する貫通間隙部７において、液の固定化促進の観点から、壁部７３及び７４の繊維密度がその周辺よりも高められていることが好ましい。これにより壁部７３及び７４に毛管力が働く。この毛管力で、開孔８となる貫通間隙部７Ａ，７Ｂ及び７Ｃに取り込まれた排泄液が素早く吸収され固定化され得る。特に経血等の高粘性の液の場合、溢れ出す前に迅速な固定化ができ好ましい。この粗密構造は、開孔８となっていない貫通間隙部７Ｄ及び７Ｅにおいても同様に吸収速度を高めることができ好ましい。
一方、各貫通間隙部７の間に配される分離吸収部３２〜３５は、壁部７３及び７４のようには密度は高められず、壁部に対して相対的に低密度部とされている。これによりこの部分の通液抵抗は相対的に低くされ、連続する縦方向において液をより拡散させやすい構造となっている。つまり、高密度部である壁部７３及び７４で保持しきれない液を分離吸収部３２〜３５が引き取って縦方向へと拡散させることができる。この連携が、さらに吸収体３の吸収性能の向上と横漏れ防止性能の向上を促進させて好ましい。
【００２８】
特に、最後の砦となる細堤吸収部３６は、貫通間隙部７Ａの壁部７３Ａと防漏溝６下にある圧搾部３７との間に配されている。この組み合わせは、防漏溝６の圧搾の影響で他の部分とは異なる粗密構造を有する。まず、圧搾部３７においては、エンボス処理により吸収体３が厚み方向に深く圧搾されて加熱で繊維の交絡点が溶融接合された強固な圧着部分である。また、この厚み方向の圧搾により最近接の貫通間隙部７Ａにおいては、壁部７３Ａが防漏溝６側へと引き寄せられて厚みが薄くされている。その結果、貫通間隙部７Ａの壁部７３Ａは、他の貫通間隙部の壁部よりも密度が高められている。したがって、他の貫通間隙部間にある分離吸収部とは異なって、細堤吸収部３６は、最も高い高密度部の圧搾部３７及び壁部７３Ａに両脇を挟まれた構造となっている。この圧搾部３７の繊維密度（Ｍ１）、細堤吸収部３６の繊維密度（Ｍ２）、及び貫通間隙部７Ａの壁部７３Ａの繊維密度（Ｍ３）の粗密関係は、（Ｍ１）＞（Ｍ３）＞（Ｍ２）とされている。
このように、圧搾部３７の繊維密度（Ｍ１）、細堤吸収部３６の繊維密度（Ｍ２）、及び貫通間隙部７Ａの壁部７３Ａの繊維密度（Ｍ３）がなす、密（Ｍ１）−粗（Ｍ２）−密（Ｍ３）の構造が一体となって、積層構造体３８をなしている。この積層構造体３８の粗密構造が、他の貫通間隙部の間の粗密構造に比して、吸収性能に優れ、横漏れ防止性が高く好ましい。
【００２９】
この積層構造部３８において、圧搾部３７と比較的柔軟な細堤吸収部３６とが一体となることで、着用者の足回りに当たる圧搾部３７の圧密による硬さが緩和される。また、貫通間隙部７Ａにおける壁部７３Ａ及び７４Ａの横方向への可撓性により、積層構造部３８にクッション性が付与される。
【００３０】
加えて、断続的に配された複数の貫通間隙部７の配置（７０Ａ列から７０Ｅ列までの複数の貫通間隙部の配置）によって、吸収体３全体の横方向へのクッション性が付与される。このことが、さらに防漏溝６の硬さを緩和し得る。また、各貫通間隙部７における壁部７３と壁部７４とは、互いに吸収体の連続性を断絶したものゆえ、それぞれ別々の動きを取りえる。このことが、足回りからの横方向の圧力や、足の前後運動など種々の動作による多方向のせん断力に対して、貫通間隙部７を柔軟に変形させ吸収体３に伸縮性を付与する。これにより、吸収体３が体の変形に順応し、吸収体３の体に対するフィット性が向上する。
【００３１】
この吸収体３の変形性に関し、横方向に配列される貫通間隙部７Ａ〜７Ｅはそれぞれ同期をとることなく独立に変形し得る。またその変形も、開孔８となる貫通間隙部７Ａ〜７Ｃが空間の収縮と復元であるのに対し、切込み状態の貫通間隙部７Ｄ及び７Ｅが間隙の拡張と収縮である点で異なる動きを示す。これらのことにより、吸収体３は複雑な変形が可能である。一方で、硬い防漏溝６を軸とする外力の波及は、中央部に行くほど伝わる力の大きさやタイミングも異なる。そのため、複数の外力が複合して異なるタイミングで異なる大きさの外力が各貫通間隙部７Ａ〜７Ｅに波及することもある。この場合でも、貫通間隙部７Ａ〜７Ｅはそれぞれ独自に変形して柔軟に対応し得る。これにより、足回りからの複雑な押圧や変形に対して対応したクッション性、フィット性及び防漏性を奏し、良好な着用感が得られる。
【００３２】
さらに、貫通間隙部７の様々な変形性は、開孔や間隙に取り込んだ液への圧力ともなる。縦長の貫通間隙部７において横幅が縮まる変形は、液の縦方向への移行を促し、横幅の広がりは新たな液の取り込みを促す。つまり、貫通間隙部７の壁部７３及び７４の横方向への可撓性は、液を縦方向へ拡散させるポンプのような作用を奏する。これにより、液の横方向への流れを断ち切って縦方向の吸収体で液固定化を促進できるので好ましい。この場合、貫通間隙部７が縦方向に連続せずに断続的に配置されていることが、ポンプ作用による液の押し出し量を適度に抑制することとなり、肌当接面側への液の溢れ出しを抑えることができ好ましい。
【００３３】
本実施形態において、図２及び５に示すように、前述の貫通間隙部７とともに、吸収体３の前方部Ｆ及び後方部Ｒにおいて、横長の低目付け部９が複数断続的に設けられていることが好ましい。低目付け部９とは、この部分における吸収体３の構成繊維の坪量が他の部分よりも低くされていることである。低目付け部９においては、吸収体３が曲がり易い程度に繊維量が少なくされていればよく、構成繊維が全くない場合に限らず、多少残っている場合も含む。この低目付け部９の配置により、吸収体３の後方部Ｒ及び前方部Ｆは、低目付け部９で曲がり易く、着用者の臀部及び下腹部の曲面に対応してフィットされ得る。これにより、貫通間隙部７により液が縦方向に拡散されても、縦方向での液漏れを好適に防止することができる。
またナプキン１０を着衣Ｗに装着した状態において、低目付け部９を起点として吸収体３の後方部Ｒ及び前方部Ｆが曲がり易いため、前後端部の縦方向の曲がり応力（図５の矢印Ｆ１）は排泄部対応領域Ｃに及び難くなる。これにより吸収体３の排泄部対応領域Ｃにおいては、前後端部からの縦方向の湾曲に影響されず、貫通間隙部７による吸収体３の側部に対する横方向の作用が好適に奏され易くなる。つまり、貫通間隙部７の変形性が、着用者の股下部の横方向の湾曲（図５の矢印Ｆ２）に基づく外力に好適に追従し、吸収体３側部におけるフィット性及び防漏性を高め得る。
【００３４】
また低目付け部９は、貫通間隙部７とは交差しないようにされていることが好ましい。交差させないことで、横長の低目付け部９が、縦長の貫通間隙部７による縦方向の液の拡散路を遮断しないようにすることができる。特に、低目付け部９は、坪量を低減させた分だけ液の横方向への流れを生じ易いので、交差させないことで、縦方向の液拡散を横方向に変更させないようにすることができる。この液流れ保持の観点から、隣接する貫通間隙部７同士、及び貫通間隙部７がなす列同士が交差しないようにすることが好ましい。
【００３５】
本実施形態のナプキン１０では、前述のとおり裏面シート２の肌当接面側には、色や柄などの種々の彩色が施されていてもよい。従来のナプキンであれば、吸収体３によって隠れてしまい、この彩色を表面シート１側から視認することはできず、わずかに防漏溝６の高圧搾部分から彩色の有無を判断できる程度である。しかし、ナプキン１０においては、吸収体３に配された貫通間隙部７Ａ〜７Ｃがなす開孔８を介して、表面シート１側から裏面シート２の彩色２１が透けて見える。これにより、乳白色を基調とするナプキン１０に彩りをあたえ、使用者に可愛らしさや親しみやすさの印象を与えることができる。また、防漏溝の高密度部分と相まって防漏溝６周辺に彩色２１が帯状に見えることから防漏性を印象付けることもできる。
さらに、使用時にナプキン１０を展開して見た際に、排泄部対応領域Ｃを中心に裏面シート２の彩色２１が見える。これを基準に装着位置を定めることができる。特に、装着時に両側のウイング部５を幅方向に伸長させると、切り込み状態の貫通間隙部７Ｄ及び７Ｅからも彩色２１が見える。これにより貫通間隙部７Ａ〜７Ｅにおいて彩色２１が動きのあるものとして使用者に強く引用づけられ、使用者の興味をかきたてるものとなる。
さらに、表面シート１に映りこむ彩りが経血等の赤みを打ち消す作用を奏する。特に裏面シート２の彩色２１が赤みに対し補色の関係にあれば、赤みの隠蔽に効果的である。これにより、使用後の廃棄時の使用者の不快感が軽減され清潔感をも与えることができる。特に、貫通間隙部７周辺の吸収体３内部に液を集めて固定化し、表面に液が残り難いでの、貫通間隙部７から見える裏面シート２の彩色２１による赤み隠蔽性は効果的なものとなる。
【００３６】
以上のような彩色２１による作用をより明確なものとするために、表面シート１に貫通孔ないしエンボスが施されていることが好ましい（図示せず）。特に、貫通間隙部７に対応した位置に配されることが好ましい。これにより、表面シート１が厚みや模様がある場合でも、貫通孔の間隙やエンボスで透明化した部分から、裏面シート２の彩色２１を視認することができる。
また、裏面シート２の彩色２１は、使用目的や、対象とする使用者の嗜好に合わせて適宜設定することができる。例えば、裏面シート２の肌当接面側全面に同一の色を配設したものであっても良いし、防漏溝６や複数の貫通間隙部７の列７０Ａ〜７０Ｅに合わせて色を変えるなどして外側に向かって色が変化して見えるようにしてもよい。
本発明においては、貫通間隙部７が吸収体を厚み方向に完全に貫通することが、色彩２１の視認性の観点からは好ましい。一方で、排泄物が裏面シート２側から見え難くする観点からは、吸収コアの表裏面をコアラップシートで被覆した吸収体の形態においては、表面側コアラップシートと吸収コアを貫通し、かつ裏面側コアラップシートを貫通しないような貫通間隙部７とすることも可能である。そのようにしても、上述した防漏性を確保することは可能である。
【００３７】
次に、防漏溝６、貫通間隙部７及び貫通間隙部７がなす開孔８の好ましい形成方法の１例について、図６を参照して説明する。
まず、図６（ａ）に示されるように、吸収体３となる吸収体連続体３００に対して、一対の防漏溝６となる予定位置６００の間で、縦横に断続的にスリット加工が施される。このスリットされた部分が貫通間隙部７となる。その際、前記「防漏溝６の近傍」となる領域Ｔに必ずスリット７００の縦方向の間欠列が施されるようにする。領域Ｔのスリット７００の間欠列は、１列でもよいし、２列以上であってもよい。スリット加工は、この種の物品に用いられる方法により得られる。スリット形成装置９００としては、例えば、ロータリーカッターやシェアカッター、レーザーカッター、超音波カッターなどが挙げられる。
このようにして形成された貫通間隙部７は、切り込まれた部分の両脇の壁部７３，７４にある吸収体連続体３の構成繊維が圧密化されている。つまり、壁部７３，７４の繊維密度は、スリットされていない部分よりも高められている。
次いで、図６（ｂ）に示されるように、防漏溝６となる予定位置６００にエンボスロール９０１を用いて、表面シート１の連続体１００と共に圧搾して厚み方向に変形させ、加熱して接合固定する。これにより、防漏溝６が形成される。このとき、貫通間隙部７では、吸収体の繊維がスリット加工によって非連続な状態であるため、特に領域Ｔにおいて、エンボスによる厚み方向の変形の影響を受けて壁部７３側が防漏溝６側へ引き寄せられる。これにより、開孔８が形成される。それとともに、壁部７３の繊維が防漏溝６側へと引き寄せられて厚みが薄くされ、結果、スリットされた状態よりも密度が高められ、該高密度の層の横幅が厚くなる。
以上のように、貫通間隙部７がなす開孔８は、防漏溝６のエンボス処理を伴って形成されたものであり、単に吸収体３の構成繊維をくり抜いて形成したものとは異なる。また構成繊維のくり抜きがないため、単なる開孔と比べて吸収性能の低下がなく好ましい。
【００３８】
該吸収体の製造工程においては、吸収体連続体３００を長手方向に分離する工程を経て吸収性物品であるナプキンが形成される。この分離する工程においては、吸収コアを搬送するためのコアラップシートが使用されることが好ましく、前述のスリット加工前に該コアラップシートが長手方向（搬送方向）に伸ばされた状態にあると、吸収体連続体が分離して吸収体３となると伸ばされたコアラップシートの縮みによって吸収体が９２〜９７％程度長手方向に縮むことで、前記スリットがやや広がった形状となり易い。
その後の工程において、吸収体３は表面シート１や裏面シート２と合わせられ、ナプキンが最終的な個別包装による折り畳み等による厚み方向の力を受けることで、防漏溝６周辺以外のスリット部分は、液の拡散抑制効果を奏しない程度に断裂状態がなくなる。
【００３９】
この貫通間隙部７の縦方向の数、幅方向の列数、貫通間隙部６が開孔８となる範囲及び個数は、本実施形態のものに限定されない。また、列の形状、隣接する列同士の貫通間隙部７の縦方向配列間隔についても同様に本実施形態のものに限定されない。例えば図７に示しされるように、隣り合う列同士の貫通間隙部の配列ピッチを半ピッチずらした配置、つまり、横方向で隣り合う貫通間隙部同士が完全一致とされていない配置でもよい。この配置においては、横方向への液拡散を間隙なく防御することができる。また、貫通間隙部７は、前端部Ｆ又は後端部Ｒにまで及ぶことが後述する効果を高める点から好ましいが、最低限、排泄部対向領域Ｃに存在していればよい。また、貫通間隙部７は縦方向に沿って複数本が断続的に配されているものが好ましいが、１本が配されていてもよい。
また、この貫通間隙部７がなす開孔８の形状は、図３や図４に示されるものに限定されない。開孔８の平面形状は、全体として縦長で、幅方向への開孔を縦方向の何れかの位置に有する形状であれば種々の形状を採用できる。この場合、前記形状は、上下左右が対称である場合に限らず、不均整な形状であってもよい。防漏溝６側が大きく膨らんだ開孔形状であってもよい。また「開孔幅８１」の貫通間隙部７における縦方向位置が、各貫通間隙部同士で同でなくてもよい。さらに開孔８の断面形状は、肌当接面側の幅と非肌当接面側の幅が同じでなくてもよい。前述した吸収体３の分断によって、貫通間隙部７は肌当接面側と非肌当接面側が同程度に開いた形状となっているが、後述の液の取り込み性を考慮すると、肌当接面側が広いテーパ状であることが好ましく、非肌当接面側は透明性を有する程度に広がっていればよい。この透明化は、防漏溝６を部分的に太くする、深くする、湾曲する等で制御できる。なお、透明化とは、透過性が高く彩色２１が識別できる程度であればよく、ナプキンの肌当接面側から見える彩色の状態と裏面シート２の彩色２１が同じ程度であることを意味しない。
【００４０】
また、防漏溝６の平面視形状は、本実施形態のものに限定されるものではなく、排泄部対応領域Ｃで縦長の部分を有する形状を種々設定することができる。例えば、図８に示すように、無端環状に連続した形状であってもよい。この防漏溝６においては、排泄部対応領域Ｃの縦方向（Ｙ方向）両側に、横方向（Ｘ方向）外方へ向かって弓状に湾曲した縦長の中央溝部６１，６１を有する。さらに防漏溝６は、中央溝部６１，６１の前端部同士、後端部同士をつなぐ端部溝部６２，６２を有する。２つ中央溝部６１と２つ端部溝部６２とが連結して無端環状をなす。中央溝６１が、図８に示すような弓状に湾曲した形状であることで、排泄液を最も多く吸収する排泄部対応領域Ｃの吸収領域を十分確保しつつ液の拡散を防ぎ好ましい。また湾曲形状であることで、ナプキン１０の着用時に着用者の股下部で幅方向の圧力を受けても柔軟性を確保できて好ましい。
さらに湾曲した防漏溝６を形成することで、図２に示すような長手方向に配された貫通間隙部７（スリット部）の延在方向と交差することとなる。このような位置関係とすることは、防漏溝６が湾曲した部分では、スリットの延在方向との交差程度によって吸収体３を幅方向に引伸ばす効果を弱めて、長手方向に引き伸ばす効果を奏することとなる。このため、湾曲した防漏溝６、特に幅方向に延びるようになった防漏溝６の部位の周辺においては貫通間隙部７が閉じるので、長手方向への液拡散が抑えられて液が幅方向にも分散し易くなり、防漏溝６による防漏効果を奏し易くなる。この他、端部溝６２が中央溝６１と離間する形態など無端環状でなくてもよく、また、中央溝が横方向に２重の配置とされていてもよい。
【００４１】
次に、図９を参照して、本発明における吸収性物品の第２実施形態としての生理用ナプキン２０について説明する。
第２実施形態の生理用ナプキン２０は、第１実施形態の生理用ナプキン１０における吸収体３に代えて、中高部吸収体３８と下層吸収体３９の２層からなるものとしたものである。中高部吸収体３８は、排泄部対応領域Ｃの横方向中央部において、下層吸収体３９よりも幅狭な形状で下層吸収体３９の肌当接面側に載置されている。これにより、中高部吸収部３８が、肌当接面側に隆起した中高部をなし、ナプキン装着時における着用者の排泄部に密着して液を素早く吸収することができる。なお、ナプキン装着時における着用者の排泄部に密着して液を素早く吸収することができるという観点から、中高部吸収体３８と下層吸収体３９とが一体に形成されていてもよい。防漏溝６は、上層吸収体３８の両側外方で表面シート１と下層吸収体３９との圧搾により形成されている。
【００４２】
防漏溝６の近傍、すなわち、防漏溝６と中高吸収体３８との間の下層吸収体３９に、縦長の貫通間隙部７が開孔８をなして複数間欠的に縦方向に配列されている。貫通間隙部７は、防漏溝６に近いものほど開孔幅が大きくなっている。これにより第１実施形態の場合と同様に、貫通間隙部７が、中高吸収体３８ないし下層吸収体３９から横方向に拡散する排泄液を固定化できる。また、排泄液を縦方向へと導いて下層吸収体の広い範囲で固定化が可能となる。これにより、防漏溝６手前で、排泄液の拡散力と移行量が低減され、防漏溝６の外方への液の移行が抑えられて横漏れが防止され得る。
【００４３】
ナプキン２０においては、防漏溝６の近傍のみならず中高部吸収体３８においても、貫通間隙部７が配されている。貫通間隙部７は、防漏溝６近傍にないため開孔８とはならず、切り込み状態となっている。この貫通間隙部７の切り込みにより、中高部吸収体３８が可撓性を有するものとなる。これにより、中高部吸収体３８は、身体のより曲率の高い部分にも間隙なく変形密着して、より確実に液を捉えて吸収することができる。なお、貫通間隙部７は中高部吸収体３８だけでなく、下層吸収体３９まで形成されていてもよい。
【００４４】
以上の生理用ナプキン１０及び２０のいずれにおいても、吸収体３のよれ防止の観点から、点エンボス６９が複数施されたものであってもよい（図１０参照）。点エンボス６９は、表面シート１、吸収体３及び裏面シート２を一体化して圧搾するものであってもよく、吸収体３と表面シート１又は裏面シート２とを一体化して圧搾するものであってもよい。これにより、吸収体３は、シート部材との接合で、ナプキン装着時の外圧や液吸収によるヘタリで吸収体がよれることなくしっかりと排泄液を吸収保持でき好ましい。
このように点エンボス６９では、吸収体３を圧搾することで排泄液が集まり易くなる。これでは、吸収体３のよれを防止できでもそこからの液漏れを引き起こしかねない。これに対し、点エンボス６９に至る液拡散経路を切断するように、点エンボス６９の近傍に貫通間隙部７９を設けておくことが好ましい。たとえば、吸収体の排泄部対応領域Ｃの幅方向中心点と点エンボス６９とを結ぶ線上で、かつ点エンボス６９の近傍に貫通間隙部７９を設けておくことが好ましい。この場合、防漏溝６近傍の貫通間隙部７の場合と同様に、貫通間隙部７９は、前記点エンボス６９の圧搾による繊維の引き込みで貫通間隙部７９の壁部が引き寄せられて、開孔８９をなすこととなる。貫通間隙部７９がなす開孔８９は、点エンボス６９の手前で液を捕捉して素早く固定化することができる。これにより、点エンボス６９に液が滞留し難くなり、液漏れを効果的に防止することができる。また、点エンボス６９における剛性の高まりが貫通間隙部７９により緩和されて分散されて、肌触りが良化され得る。
【００４５】
次に、第１実施形態及び第２実施形態の生理用ナプキンを構成する部材の形成材料について説明する。表面シート１、裏面シート２、吸収体３及びサイドシート４の形成材料は、この種の物品に用いられるものを特に制限なく用いることができる。
例えば、表面シート１としては、排泄された体液を速やかに吸収し、吸収体に伝達する観点と肌触りのよさの観点とから親水化処理が施された各種不織布や開孔フィルム等の液透過性のシートを用いることが好ましい。表面シート１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。
【００４６】
裏面シート２としては、不透湿性若しくは透湿性フィルム単独、又はフィルムと不織布の貼り合わせ、撥水性の不織布（ＳＭＳやＳＭＭＳ等）を用いることができる。コスト面やズレ止め粘着剤とのマッチングなどから、透湿性フィルム単独を防漏材として用いることが最も好ましい。この場合の透湿性フィルム材としては、熱可塑性樹脂と、これと相溶性のない無機フィラーを溶融混練して押し出したフィルムを所定の寸法に延伸して微細孔をあけたフィルム、または、本質的に水分の相溶性が高く、浸透膜のように水蒸気排出可能な無孔性のフィルムが挙げられる。本発明に関わる湿度排出の性能を十分に発現し、かつ、水分のにじみ出しがない防漏層を具現化するには、透湿度は、０．７ｇ／１００ｃｍ２ｈｒ以上３．０ｇ／１００ｃｍ２ｈｒ以下の範囲にあることが好ましく、１．０ｇ／１００ｃｍ２ｈｒ以上２．５ｇ／１００ｃｍ２ｈｒ以下の範囲にあることが更に好ましい。さらっと感を十分に高める観点からは１．５ｇ／１００ｃｍ２ｈｒ以上２．５ｇ／１００ｃｍ２ｈｒ以下にあることが最も好ましい。また、フィルムの破れ等のトラブルなく使用可能であるためには、フィルム坪量は１８ｇ／ｍ２以上７０ｇ／ｍ２以下、より好ましくは２５ｇ／ｍ２以上６０ｇ／ｍ２以下である。また好ましい無機フィラー配合量は、フィルム全体の質量に対するフィラーの質量％として３０質量％以上６５質量％以下、より好ましくは４０質量％以上６０質量％以下である。
【００４７】
吸収体３の構成材料としては、特に制限はないが繊維材料、繊維材料と多孔質体との混合積繊体などをコアラップシート（紙や不織布など）で挟持したものなど、を用いることができる。繊維素材としては例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であってもよい。例えば、熱によって繊度は大きくなるが繊維長は短くなるものや、熱によって繊度はほとんど変化しないが、形状がコイル状に変化することでみかけの繊維の占有する長さが短くなるものであってもよい。多孔質体としては、スポンジ、不織布、高吸水性ポリマーの凝集物（高吸水性ポリマーと繊維とが凝集したもの）などを用いることができる。
【００４８】
サイドシート４としては、撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）不織布等が用いられる。
【００４９】
本発明の吸収性物品は、上記の実施形態の生理用ナプキンに制限されるものではなく、例えば失禁パッド、失禁ライナ、尿とりパッド、使い捨ておむつ等に適応することができる。また、経血に限らずその他、尿、オリモノ、軟便等に対しても効果的である。また、表面シート１、吸収体３、裏面シート２の他にも用途や機能に合わせ適宜部材を組み込んでもよい。
【００５０】
上述した実施形態に関し、本発明はさらに以下の吸収性物品を開示する。
【００５１】
＜１＞肌当接面側に配置される表面シート、非肌当接面側に配置される裏面シート、及び該両シート間に配置される吸収体を備え、着用者の腹側部から股下部を介して背側部に亘って配される方向を縦方向、該縦方向と直交する方向を横方向とする吸収性物品であって、前記表面シートと吸収体とが一体的に圧搾されてなる防漏溝が、前記吸収性物品の排泄部対応領域において縦方向に沿って配設されており、前記吸収体には、吸収体の厚み方向に貫通した縦長の貫通間隙部が配設されており、前記防漏溝の近傍に配置された前記貫通間隙部が開孔をなしている吸収性物品。
【００５２】
＜２＞前記貫通間隙部は縦方向に断続的に配置されて貫通間隙部列をなしている＜１＞記載の吸収性物品。
＜３＞前記貫通間隙部列は幅方向に断続的に配置されて複数の列となっており、前記貫通間隙部における横方向の開孔幅は、前記防漏溝に近い位置にある貫通間隙部のものほど大きくなっている＜２＞記載の吸収性物品。
＜４＞前記吸収体において、前記貫通間隙部の壁部の繊維密度が、前記壁部周辺の繊維密度よりも高くされている＜１＞〜＜３＞の何れか１に記載の吸収性物品。
＜５＞前記開孔の横方向長さが０．５ｍｍ以上７ｍｍ以下である＜１＞〜＜４＞の何れか１に記載の吸収性物品。
＜６＞前記開孔の縦方向長さが５ｍｍ以上９０ｍｍ以下である＜１＞〜＜５＞の何れか１に記載の吸収性物品。
＜７＞前記吸収体において、前記防漏溝の圧搾部分と、該防漏溝に最も近い前記貫通間隙部の壁部と、その間に存在する縦方向へ連続した吸収部それぞれの密度がこの順に大きい＜１＞〜＜６＞の何れか１に記載の吸収性物品。
＜８＞前記吸収体の縦方向の前後端部に、横長の低目付け部が複数断続的に設けられている＜１＞〜＜７＞の何れか１に記載の吸収性物品。
＜９＞前記貫通間隙部同士、及び前記貫通間隙部と前記低目付け部とが交差しない配置とされている＜８＞記載の吸収性物品。
＜１０＞前記裏面シートの肌当接面側に彩色が施されており、前記表面シートから前記吸収体の貫通間隙部を介して前記彩色が視認可能とされている＜１＞〜＜９＞の何れか１に記載の吸収性物品。
＜１１＞前記表面シートに貫通孔又はエンボスが配設されている＜１＞〜＜１０＞の何れか１に記載の吸収性物品。
＜１２＞前記吸収体は、前記横方向の中央領域において肌当接面側に隆起した中高部を有し、前記貫通間隙部は前記中高部にも配設されている＜１＞〜＜１１＞の何れか１に記載の吸収性物品。
＜１３＞前記中高部以外の吸収体の領域に防漏溝が配設されており、該防漏溝の近傍に貫通間隙部がなす開孔が複数配設されている＜１２＞記載の吸収性物品。
＜１４＞前記防漏溝は、前記吸収性物品の排泄部対応領域の横方向両側で、平面視、横方向外方へ向かって湾曲した縦長の形状である＜１＞〜＜１３＞の何れか１に記載の吸収性物品。
＜１５＞前記各貫通間隙部の間には、該貫通間隙部によって部分的に切り出された分離吸収部がある＜１＞〜＜１４＞の何れか１に記載の吸収性物品。
＜１６＞前記吸収性物品が生理用ナプキンである、＜１＞〜＜１５＞の何れか１に記載の吸収性物品。
【実施例】
【００５３】
以下に、本発明について実施例に基づきさらに詳細に説明するが、本発明がこれにより限定して解釈されるものではない。
【００５４】
（実施例１）
まず、パルプ（ＮＢＫＰ  針葉樹晒しクラフトパルプ）の坪量を２００ｇ／ｍ２、粒子状の吸水ポリマーの坪量を５０ｇ／ｍ２となるように均一に混合積繊した吸収性コアをコアラップシート（坪量１６ｇ／ｍ２の吸収紙）で被覆して吸収体とした。吸収体厚みは２．０ｍｍであった。前記吸収体の肌当接面側おいて、一対の防漏溝予定位置に挟まれた領域に、切り込みとしての貫通間隙部を複数断続的に形成した。前記貫通間隙部を縦方向に８個配した列を横方向に１０列配した。貫通間隙部の縦方向の長さは５０ｍｍとした。この貫通間隙部の形成は、ロータリーカッターを用いて前述の方法で形成した。このうち、前記防漏溝予定位置の内側から２５ｍｍの領域に前記貫通間隙部の列が５列配設されるようにし、防漏溝側の３列の貫通間隙部が防漏溝の近傍となる。
次いで、吸収体の肌当接面側に、繊維径４ｄｔｅｘの芯鞘型複合繊維（芯がポリプロピレン、鞘がポリエチレン）を重量比５０％、及び繊維径３．３ｄｔｅｘの芯鞘型複合繊維（芯がポリエチレンテレフタレート、鞘がポリエチレン）を重量比５０％にし、それぞれの繊維をカード機を通してウェブとし、該ウェブを重ねて、ヒートエンボスすることで作成した２層構造の表面シートを被覆した。表面シート側から吸収体にかけて、防漏溝予定位置にエンボス処理を施し、防漏溝を形成した。これにより、前記防漏溝の近傍の領域にある貫通間隙部が開孔をなしていることが確認された。その開孔幅は、最も広いもので１．２ｍｍ、最も狭いもので０．３ｍｍであった。一方、防漏溝の近傍にない貫通間隙部は、切り込み状態のままで、開孔とはなっていなかった。
次いで、前記吸収体の非肌当接面側に、坪量３０ｇ／ｍ２の非透湿ポリエチレン製フィルムからなる裏面シートをホットメルト接着剤を用いて接合した。さらに、前記表面シートの肌当接面側の両側に、坪量２０ｇ／ｍ２のエアスルー不織布からなる一対のサイドシートを積層してホットメルト接着剤で接合した。さらに、前記サイドシートと前記裏面シートは両者が有する横方向の幅広部分を貼り合わせてウイング部を形成した。該ウイング部の非肌当接面側に粘着剤からなる、着衣に固定するための粘着層を形成した。こうして得られた生理用ナプキンを実施例のサンプル１とした。
【００５５】
（比較例１）
比較例１では、実施例１の生理用ナプキンにおいて貫通間隙部を形成しない吸収体を用い、該吸収体と表面シートとを圧搾した点エンボスを前後端部に複数形成した。これを比較例１のサンプル２とした。
【００５６】
（比較例２）
比較例２では、実施例１の生理用ナプキンにおいて貫通間隙部を形成しない吸収体を用いたものとした。なお、比較例の点エンボスは形成しなかった。これを比較例２のサンプル３とした。
【００５７】
（試験方法）
生理用ナプキンのサンプルを生理用ショーツに固定し、人体の動的モデルに装着した。
動的モデルの歩行動作を開始させ、歩行動作開始より１分後に、液排泄点より２gの馬血を注入した（１回目）。更に１回目の液注入終了より３分後に３gの馬血を注入した（２回目）。更に２回目の液注入終了より３分後に２ｇの馬血を注入した（３回目）。３回目以降の液注入は液注入後から３分後に２ｇの馬血を繰り返し注入し、生理用ナプキンのウイング部から液が染み出した時点で終了し、最大吸収量とした。
【００５８】
【表１】
2014100199.tif 000003
【００５９】
（評価）
実施例の生理用ナプキンは、比較例１及び２の生理用ナプキンよりも最大吸収量が多く、製品幅方向からの液の滲出がなかった。これにより、本発明の貫通間隙部を有する吸収性物品が液の横漏れ防止性に優れることが分かった。前記表１の結果において、実施例１の動的最大吸収量は、比較例１のものよりも１０％向上しており、比較例２のものよりも約２２％向上している。この動的最大吸収量の差１ｇないし２ｇは、肌の濡れた感じや着衣の汚れなどの着用者の不快感を解消するという観点から大きな効果の差であるといえる。
【符号の説明】
【００６０】
１  表面シート
２  裏面シート
３  吸収体
６  防漏溝
７  貫通間隙部
８  開孔
１０，２０  生理用ナプキン
【図１】
2014100199.tif 000004
【図２】
2014100199.tif 000005
【図３】
2014100199.tif 000006
【図４】
2014100199.tif 000007
【図５】
2014100199.tif 000008
【図６】
2014100199.tif 000009
【図７】
2014100199.tif 000010
【図８】
2014100199.tif 000011
【図９】
2014100199.tif 000012
【図１０】
2014100199.tif 000013